(57)【要約】 【課題】  ゴルフボールに付着している汚れを片手で、手際よく拭き取ることのできるゴルフボールの汚れ拭き取り具を提供する。【課題手段】  片手に収まる大きさの袋体で形成されると共に該袋体の内面がゴルフボールの汚れを拭き取るための拭き取り面になり、該袋体内に収容されたゴルフボールの汚れを、該袋体を片手で握るようにして拭き取ることのできるゴルフボールの汚れ拭き取り具であって、前記袋体は底部と該底部から斜め上方へ向けて拡開する側部とから構成されて内部がボール収容部となると共に該袋体の上端が開口して該開口から該ボール収容部内へボールを出し入れでき、且つ、該ボール収容部を扁平にした状態において該袋体の底部の横幅がゴルフボールの直径と略同一に形成されることで、前記ボール収容部内に収容されたゴルフボールが該袋体の底部に接触可能であることを特徴とする。【選択図】  図１
2010207434.tif 000002
【特許請求の範囲】
【請求項１】
片手に収まる大きさの袋体で形成されると共に該袋体の内面がゴルフボールの汚れを拭き取るための拭き取り面になり、該袋体内に収容されたゴルフボールの汚れを、該袋体を片手で握るようにして拭き取ることのできるゴルフボールの汚れ拭き取り具であって、
前記袋体は底部と該底部から斜め上方へ向けて拡開する側部とから構成されて内部がボール収容部となると共に該袋体の上端が開口して該開口から該ボール収容部内へボールを出し入れでき、且つ、該ボール収容部を扁平にした状態において該袋体の底部の横幅がゴルフボールの直径と略同一に形成されることで、前記ボール収容部内に収容されたゴルフボールが該袋体の底部に接触可能であることを特徴とするゴルフボールの汚れ拭き取り具。
【請求項２】
前記袋体は、布同士を縫製した縫製部分を有し、該縫製部分は、布の端部を内側に折り込んで縫製されることで形成されていることを特徴とする請求項１に記載のゴルフボールの汚れ拭き取り具。
【請求項３】
前記袋体は、前記ボール収容部を扁平にした状態の袋体の底部の横幅と略同一の横幅を有する収容ケースに収容可能に設けられると共に、前記袋体の底部には引っ張り紐の一端側が取り付けられ、該引っ張り紐を引っ張ることによって前記袋体は前記底部と側部との間の角部において内側へ折り畳まれながら該収容ケース内に引っ張られて収容可能であることを特徴とする請求項１又は２に記載のゴルフボールの汚れ拭き取り具。
【請求項４】
前記収容ケースはゴルフクラブのヘッドカバー、衣服、帽子、カバン、キャディーバッグ、ポーチの何れかに設けられたことを特徴とする請求項３に記載のゴルフボールの汚れ拭き取り具。
【請求項５】
前記袋体の開口端には、前記角部に対面する位置において、前記折り畳みを助長する折畳助長部を設けたことを特徴とする請求項３又は４に記載のゴルフボールの汚れ拭き取り具。
【請求項６】
前記折畳助長部は、袋体の開口端に設けられた切り込みによって形成されたことを特徴とする請求項５に記載のゴルフボールの汚れ拭き取り具。
【請求項７】
前記折畳助長部は、前記袋体の開口端の周方向へ向けて勾配を設けることで形成されたことを特徴とする請求項５に記載のゴルフボールの汚れ拭き取り具。
【請求項８】
前記収容ケースの開口端と対面する収容ケースの底部には収容ケースの内外を連通する孔が設けられ、引っ張り紐の他端側が該孔を挿通して収容ケース外に導かれ、該他端側を引っ張ることで袋体が引っ張られて収容ケース内へ収容されることを特徴とする請求項３乃至７に記載のゴルフボールの汚れ拭き取り具。
【請求項９】
前記袋体は、前記引っ張り紐に着脱可能であることを特徴とする請求項３乃至８の何れか１項に記載のゴルフボールの汚れ拭き取り具。
【請求項１０】
前記袋体の縁部に引き出し用の布片を設けたことを特徴とする請求項３乃至９の何れか１項に記載のゴルフボールの汚れ拭き取り具。
【発明の詳細な説明】
【技術分野】
【０００１】
本発明は、ゴルフボールの汚れ拭き取り具に関するものである。
【背景技術】
【０００２】
ゴルフボールに土や水等が付着してゴルフボールが汚れた場合には、一般に、タオル等でその汚れを拭き取ることが行われていた。
【０００３】
しかし、ゴルフプレーヤがゴルフプレーの際にタオルを持ち歩くことはタオルがゴルフプレーの邪魔になるために、従来から、ゴルフボールの汚れを除去するための簡易な汚れ拭き取り具が望まれていた。
【０００４】
一方、特許文献１には、ゴルフ用具の汚れ落し具が提案されている。この特許文献１に記載のものは、汚れ落とし用の布地に紐を取り付け、紐を引くことで、布地が容器内へ収容可能に設けられている。
【０００５】
又、特許文献２にも、ゴルフボールの汚れを拭き取ることのできる発明が提案されている。
【０００６】
図１１に示すように、当該特許文献２に記載の発明は、ボールホルダー本体１００の上下両端が開口し、ゴルフボール１０１を上側の開口から入れて下側の開口から押し出すようにして取り出す途中において、ゴルフボール１０１を該ボールホルダー本体１００内面に接触させることで、ゴルフボール１０１に付着している汚れをボールホルダー本体１００で拭うように構成されている。
【先行技術文献】
【特許文献】
【０００７】
【特許文献１】特開２００３−７０９４６号公報
【特許文献２】特開２００４−２５４８０２号公報
【発明の概要】
【発明が解決しようとする課題】
【０００８】
しかし、特許文献１に記載の発明においては、平らな布地でゴルフボールを包むようにして、ゴルフボールに付着した汚れを拭き取るために、ゴルフボールに付着した汚れを拭き取る際に、ゴルフボールが布地から滑って落ち易く、ゴルフボールに付着した汚れを手際よく拭き取ることが困難であるという問題があった。
【０００９】
又、特許文献２に記載の発明においては、図１１に示すように、ボールホルダー本体１００を両手で掴んだ状態でゴルフボール１０１を該ボールホルダー本体１００内を上方から下方へ通過させるようにして該ゴルフボール１０１に付着した汚れを拭い取るために、ゴルフボール１０１に付着した汚れを拭う際に両手を用いなければならずに、繁雑、面倒であるために、この特許文献２に記載の発明においても、ゴルフボール１０１に付着した汚れを手際よく拭き取ることが困難であるという問題があった。
【００１０】
本発明は前記背景技術の問題点に鑑みてなされたもので、その目的は、ゴルフボールに付着している汚れを片手で、」手際よく拭き取ることのできるゴルフボールの汚れ拭き取り具を提供するにある。
【課題を解決するための手段】
【００１１】
請求項１に記載の発明は、片手に収まる大きさの袋体で形成されると共に該袋体の内面がゴルフボールの汚れを拭き取るための拭き取り面になり、該袋体内に収容されたゴルフボールの汚れを、該袋体を片手で握るようにして拭き取ることのできるゴルフボールの汚れ拭き取り具であって、
前記袋体は底部と該底部から斜め上方へ向けて拡開する側部とから構成されて内部がボール収容部となると共に該袋体の上端が開口して該開口から該ボール収容部内へボールを出し入れでき、且つ、該ボール収容部を扁平にした状態において該袋体の底部の横幅がゴルフボールの直径と略同一に形成されることで、前記ボール収容部内に収容されたゴルフボールが該袋体の底部に接触可能であることを特徴とするものである。
【００１２】
請求項２に記載の発明は、請求項１に記載の発明において、袋体は、布同士を縫製した縫製部分を有し、該縫製部分は、布の端部を内側に折り込んで縫製されることで形成されていることを特徴とするものである。
【００１３】
請求項３に記載の発明は、請求項１又は２に記載の発明において、袋体は、ボール収容部を扁平にした状態の袋体の底部の横幅と略同一の横幅を有する収容ケースに収容可能に設けられると共に、前記袋体の底部には引っ張り紐の一端側が取り付けられ、該引っ張り紐を引っ張ることによって前記袋体は前記底部と側部との間の角部において内側へ折り畳まれながら該収容ケース内に引っ張られて収容可能であることを特徴とするものである。
【００１４】
請求項４に記載の発明は、請求項３に記載の発明において、収容ケースはゴルフクラブのヘッドカバー、衣服、帽子、カバン、キャディーバッグ、ポーチの何れかに設けられたことを特徴とするものである。
【００１５】
請求項５に記載の発明は、請求項３又は４に記載の発明において、袋体の開口端には、前記角部に対面する位置において、前記折り畳みを助長する折畳助長部を設けたことを特徴とするものである。
【００１６】
請求項６に記載の発明は、請求項５に記載の発明において、折畳助長部は、袋体の開口端に設けられた切り込みによって形成されたことを特徴とするものである。
【００１７】
請求項７に記載の発明は、請求項５に記載の発明において、折畳助長部は、前記袋体の開口端の周方向へ向けて勾配を設けることで形成されたことを特徴とするものである。
【００１８】
請求項８に記載の発明は、請求項３乃至７に記載の発明において、収容ケースの開口端と対面する収容ケースの底部には収容ケースの内外を連通する孔が設けられ、引っ張り紐の他端側が該孔を挿通して収容ケース外に導かれ、該他端側を引っ張ることで袋体が引っ張られて収容ケース内へ収容されることを特徴とするものである。
【００１９】
請求項９に記載の発明は、請求項３乃至８の何れか１項に記載の発明において、
前記袋体は、前記引っ張り紐に着脱可能であることを特徴とするものである。
【００２０】
請求項１０に記載の発明は、請求項３乃至９の何れか１項に記載の発明において、
前記袋体の縁部に引き出し用の布片を設けたことを特徴とするものである。
【発明の効果】
【００２１】
請求項１に記載の発明によれば、袋体を片手で持ち、該袋体内へゴルフボールをスムーズに入れることができ、該ゴルフボールを袋体の内面で擦ることで、ゴルフボールに付着している汚れを落としてゴルフボールをきれいにすることができる。
【００２２】
請求項２に記載の発明によれば、布の端部を内側へ折り返すと共にその折返し部分同士が重ねて縫製されることで、該縫製部が形成される。そして、布の端部の折返し部分における布の復元力によって、当該縫製部近傍の布は互いに離間することで袋体の開口端は僅かに開いている。このため、袋体の開口端から袋体内へゴルフボールをより一層手際よく入れることができる。
【００２３】
請求項３に記載の発明によれば、袋体を収容ケース内へ収容することができる。
【００２４】
請求項４に記載の発明によれば、ゴルフクラブのヘッドカバー、衣服、帽子、カバン、キャディーバッグ、ポーチの何れかに設けられた収容ケース内へ袋体を収容することができる。
【００２５】
請求項５に記載の発明によれば、袋体はきれいに折り畳まれた状態で、収容ケース内へ収容されることができる。
【００２６】
請求項６に記載の発明によれば、折畳助長部を、切り込みによって、構成することができる。
【００２７】
請求項７に記載の発明によれば、折畳助長部を、袋体の開口端に周方向へ向けて設けられた勾配によって構成することができる。
【００２８】
請求項８に記載の発明によれば、袋体は、引っ張り紐を引っ張られて収容ケース内へ収容されることができる。
【００２９】
請求項９に記載の発明によれば、袋体に対して、引っ張り紐を着脱可能に設けることができる。
【００３０】
請求項１０に記載の発明によれば、引き出し用の布片を摘んで袋体を引くことで、該袋体を収容ケースから容易に引き出すことができる。
【図面の簡単な説明】
【００３１】
【図１】ゴルフボールの汚れ拭取具の斜視図である。
【図２】ゴルフボールの汚れ拭取具を扁平にした斜視図である。
【図３】ゴルフボールの汚れ拭取具の正面図である。
【図４】作用を説明する説明図である。
【図５】ゴルフボールの汚れ拭取具の第２実施形態を説明する図である。
【図６】第２実施形態の作用を説明する図である。
【図７】第３実施形態を説明する図である。
【図８】第４実施形態を説明する図である。
【図９】第５実施形態を説明する図である。
【図１０】第６実施形態を説明する図である。
【図１１】背景技術を説明する図である。
【発明を実施するための形態】
【００３２】
本実施形態に係るゴルフボールの汚れ拭き取り具１は、片手に収まる大きさの袋体２で形成されている。該袋体２は、底部３と該底部３から斜め上方へ向けて外側へ広がる側部４とから有底に形成されて、内部がボール収容部５となって該ボール収容部５内にゴルフボール６を収容できるようになっている。該ボール収容部５は１個のゴルフボール６を収容できる程度の広さを有している。該袋体２の内面はゴルフボール６の汚れを拭き取るための拭取り面７になっている。又、該袋体２の上端はボール収容部５内へゴルフボール６を出し入れできる広さの開口端８になっている。
【００３３】
袋体２は複数枚の布９，１０を縫製することで製造されることができるが、図面では二枚の布９，１０を縫製することで製造された場合を示す。そして、袋体２の底部３及び側部４には二枚の布９，１０を縫製した縫製部１１が設けられている。二枚の布９，１０の端部１３，１４を内側へ折り返すと共にその折返し部分同士が重ねて縫製されることで、該縫製部１１が形成される。布９，１０の端部１３，１４の折返し部分における布９，１０の復元力によって、当該縫製部１１近傍の布９，１０は互いに離間することで袋体の開口端８は、図２に示すように、ボール収容部５を扁平にした状態において、僅かに開いている。
【００３４】
ここで、前記布９，１０は、眼鏡拭きのような、汚れを拭き取ることのできる素材の布が好ましい。又、当該布９，１０としては、裁断後に、ほつれが生じない素材が好ましい。
【００３５】
図３に示すように、袋体２のボール収容部５を扁平にした状態において、底部３の横幅がゴルフボール６の直径と略同一に形成されることで、ゴルフボール６が袋体２の底部３に接触可能になっていると共に該ゴルフボール６が袋体２の側部４に接触可能になって、ゴルフボール６に付着した土、水等の汚れを袋体２の底部３、及び側部４で拭き取ることができるようになっている。
【００３６】
次ぎに、作用について説明する。ゴルフプレーヤは、ゴルフプレーをする際、ゴルフボール６の汚れ拭き取り具１を、例えば、衣服のポケット等に収容する。
【００３７】
そして、ゴルフプレーの最中に、ゴルフボール６に土や水等が付着して該ゴルフボール６が汚れたとする。この際、ゴルフプレーヤはポケット等から汚れ拭き取り具１を取り出して片手で所持し、その開口部８を広げる。汚れ拭き取り具１の縫製部１１は、図２に示すように、布９，１０の端部１３、１４の折返し部分における布９，１０の復元力によって、当該縫製部１１近傍の布９，１０は互いに離間することで袋体２の開口部２は、僅かに開いている。このため、ゴルフプレーヤは、指の先端を、該開口部８に容易に宛がうことができて、該開口部８を容易に広げることができる。
【００３８】
次ぎに、袋体２の広がった開口端８からボール収容部５内へゴルフボール６を入れ、図４に示すように、片手で袋体２を握って、該袋体２の汚れ拭き取り面７で、ゴルフボール６に付着した汚れを擦るようにして拭き取ってゴルフボール６をきれいにする。
【００３９】
その後、汚れ拭取具１は例えばゴルフプレーヤのポケットに収容される。汚れ拭取具１は袋体２で形成されているため、ゴルフボール６の汚れを拭き取ることで袋体２内側の拭取り面７は汚れるが、袋体２の外側は汚れない。このため、ゴルフプレーヤが汚れ拭取具１をポケットに押し込んでも該ポケットに汚れが移ることがなく、ポケットを汚す虞は少ない。
【００４０】
又、袋体２の表裏を引っ繰り返し、袋体２の拭取り面を表側にして該拭取り面７でゴルフクラブ等を擦って、ゴルフクラブ等に付着した汚れを拭き取ることも可能である。
【００４１】
図５は第２実施形態を示す。この第２実施形態の特徴は、汚れ拭取具１を収容ケースＫ内へ収容可能に構成した点にある。この収容ケースＫは筒状に形成されていると共に一端が開口端１２となり、他端が閉塞端１３になり、且つ、該閉塞端１３には孔（図示せず）が設けられている。該開口端１２を正面から観た形状は、正円、楕円、又は、直方体等のような多角形にすることができる。
【００４２】
又、袋体２の開口部８側には、布片Ｎが設けられて手の指先でつまめるようになっている。更に、袋体２の底部３の外側には引っ張り紐１５の一端が取り付けられている。この引っ張り紐１５の他端側は、収容ケースＫの開口端１２から該収容ケースＫ内へ挿入され、該収容ケースＫ内を通して、閉塞端１３の孔から外部へ引き出された後に把持部１６が取り付けられている。該把持部１６は前記収容ケースＫの孔を通過できない大きさとする。
【００４３】
収容ケースＫは、樹脂、布、金属等を用いて製造することができる。又、収容ケースＫは、衣服、帽子、カバン、キャディーバッグ、ポーチ等のようにゴルフプレーの際に使用する物に設けることができる。
【００４４】
次ぎに、作用について説明する。先ず、予め、袋体２が収容ケースＫ内に収容されているものとする。そして、ゴルフボールに付着した汚れを袋体２で拭き取る必要が生じた際には、ゴルフプレーヤは該袋体２の布片Ｎを指先で摘んで、該袋体２を収容ケースＫから引き出して第１実施形態と同様にゴルフボールの汚れを拭き取ってゴルフボールをきれいにする。その後、ゴルフプレーヤが引っ張り紐１５の把持部１６を握って引っ張ることによって、袋体２を収容ケースＫ内へ引き込んで収容する。
【００４５】
この第２実施形態においては、袋体２を収容ケースＫ内に収容できるために、該袋体２が汚れた場合にも該袋体２でゴルフプレーヤの衣服等を汚す虞がない。
【００４６】
ここで、収容ケースＫの開口端１２の横幅の長さを、扁平にした袋体２の底部３の横幅の長さと略同一にすることによって、以下の作用効果を奏する。
【００４７】
図６に示すように、袋体２を収容ケースＫ内へ引き込む際、袋体２の底部３と側部４との間の角部Ａ、Ａが収容ケースＫ内へ僅か入った状態において、引っ張り紐１５を更に引っ張ると、袋体２の側部４が収容ケースＫの開口端１２の内縁に当たることによって、袋体２の側部４の両端側Ｂ、Ｂ同士は互いに接近するように折り畳まれながら、袋体２は収容ケースＫ内へ収容される。このように、袋体２は収容ケースＫ内へ収容される際に折り畳まれるために嵩張らない。このため、袋体２は、容積の小さな収容ケースＫ内にも収容されることができ、しかも、見栄え良く、収容ケース内へ収容される。
【００４８】
更に、ここで、図５に示すように、袋体２の開口端８に、折畳助長部Ｘ、Ｘを設けることで、前述のように、袋体２が折り畳まれるようにして収容ケースＫ内へ収容される際の折畳を助長することができる。同図５に示す折畳助長部Ｘは袋体２の開口端８の周方向へ向けて該開口端８に勾配θを設けることで構成されている。該折畳助長部Ｘは、同図５に示すように、前記袋体２の前記収容ケースＫ内への引き込み方向へ向けて、袋体２の前記底部３と側部４との間の角部Ａに対面する位置に設けられている。
【００４９】
このように、袋体２に折畳助長部Ｘを設けた場合、図６に示すように、袋体２を収容ケースＫ内へ引き込む際に、袋体２の側部４は、第２実施形態と同様に、収容ケースＫの開口端１２の内縁と当接するが、この際、袋体２の底部３と側部４との間の角部Ａと、折畳助長部Ｘとの両箇所を結ぶ直線Ｌ、Ｌに沿って、又は当該直線Ｌの近傍に沿って容易に曲がるように折り畳まれながら収容ケースＫ内へ引き込まれるように収容されることができる。
【００５０】
図７は第３実施形態を示す。この第３実施形態の特徴は、折畳助長部Ｘを、袋体２の開口端８に設けられた凹部によって構成した点にある。
【００５１】
この第３実施形態においては、図６に示すように、袋体２を収容ケースＫ内へ引き込む際に、袋体２の側部４は、第２実施形態と同様に、収容ケースＫの開口端１２の内縁と当接するが、この際、袋体２の底部３と側部４との間の角部Ａと、折畳助長部Ｘとの両箇所を結ぶ直線Ｌに沿って、又は当該直線Ｌの近傍に沿って容易に曲がるように折り畳まれながら収容ケースＫ内へ引き込まれるように収容されることができる。
【００５２】
図８は第４実施形態を示す。この第４実施形態の特徴は、折畳助長部Ｘを、袋体２の開口端８に設けられた切り込みによって構成した点にある。
【００５３】
この第４実施形態においても、袋体２を収容ケースＫ内へ引き込む際に、袋体２の底部３と側部４との間の角部Ａと、折畳助長部Ｘとの両箇所を結ぶ直線Ｌに沿って、又は当該直線Ｌの近傍に沿って容易に曲がるように折り畳まれながら収容ケースＫ内へ引き込まれるように収容されることができる。
【００５４】
図９は第５実施形態を示す。この第４実施形態の特徴は、クラブヘッドのヘッドカバー２１に補助カバー２３を取り付けることで、該ヘッドカバー２１に収容ケース２４を形成した点にある。当該補助カバー２３は、その一端以外の縁を、クラブヘッドのソール部を覆うヘッドカバー２１の外面に縫製等の手段によって取り付けることで、該補助カバー２３とヘッドカバー２１との間を収容空間２５とし、当該補助カバー２３の一端において該収容空間２５が開口端２６として開口し、且つ、該開口端２６と対面する閉塞端２７に孔２８が形成された形態をしている。
【００５５】
この第５実施形態においては、ゴルフボールの汚れ拭取具１に取り付けられた引っ張り紐１５の他端側を収容ケース２４の開口端２６から該収容ケース２４内へ挿入し、該収容ケース２４内を通した後に、該収容ケース２４の開口端２５から収容ケース２４外へ引き出して把持部１６が取り付けられている。
【００５６】
この第５実施形態においては、袋体２は、クラブヘッドのヘッドカバー２１に設けられた収容ケース２４に引き出し可能に収容されることができる。
【００５７】
図１０は第６実施形態を示す。この第６実施形態の特徴は、クラブヘッドの上面を被うヘッドカバー３１の部分に、補助カバー３２を縫製等の手段によって取り付けることで、収容ケース３３をヘッドカバー３１に設けた点にある。当該補助カバー３２は、その一端以外の縁を、クラブヘッドの上面を覆うヘッドカバー３１の外面に縫製等の手段によって取り付けることで、該補助カバー３２とヘッドカバー３１との間を収容空間とし、当該補助カバー３２の一端において該収容空間が開口端３４として開口し、且つ、該開口端３４と対面する閉塞端３５に孔３６が形成された形態をしている。
【００５８】
この第６実施形態においては、ゴルフボールの汚れ拭取具１に取り付けられた引っ張り紐１５の他端側を収容ケース３３の開口端３４から該収容ケース３３内へ挿入し、該収容ケース３３内を通した後に、該収容ケース３３の孔３６から収容ケース３３外へ引き出して把持部１６が取り付けられている。
【００５９】
この第６実施形態においては、袋体２は、クラブヘッドのヘッドカバー３１に設けられた収容ケース３３に引き出し可能に収容されることができる。
【産業上の利用可能性】
【００６０】
本発明は、ゴルフボールの汚れ拭取具の製造業において利用することができる。
【符号の説明】
【００６１】
１  ゴルフボールの汚れ拭取具
２  袋体
３  底部
４  側部
５  ボール収容部
６  ゴルフボール
７  ボール収容部
８  開口端
【図１】
2010207434.tif 000003
【図２】
2010207434.tif 000004
【図３】
2010207434.tif 000005
【図４】
2010207434.tif 000006
【図５】
2010207434.tif 000007
【図６】
2010207434.tif 000008
【図７】
2010207434.tif 000009
【図８】
2010207434.tif 000010
【図９】
2010207434.tif 000011
【図１０】
2010207434.tif 000012
【図１１】
2010207434.tif 000013